【手続補正書】
【提出日】平成19年5月30日(2007.5.30)
【手続補正１】
【補正対象書類名】明細書
【補正対象項目名】発明の名称
【補正方法】変更
【補正の内容】
【発明の名称】画像印刷装置
【手続補正２】
【補正対象書類名】明細書
【補正対象項目名】特許請求の範囲
【補正方法】変更
【補正の内容】
【特許請求の範囲】
【請求項１】  ＭＬ(Markup Language)で記述がされたコンテンツにおいてリンク形式で表現されたファイルとされている、又はＭＬで記述がされたコンテンツにそのインライン形式で記述されて含まれている所定の画像データを用いて印刷を行なう画像印刷装置であって、
少なくとも１つ以上の前記画像データを取得する画像取得手段と、
取得された前記画像データ毎にそのフォーマットを判別するフォーマット判別手段と、
前記判別されたフォーマットに基づいて、当該画像データに対して所定の画像処理を施す画像処理手段と、
前記画像処理が施された画像データに基づいて、所定の印刷媒体に印刷する印刷手段と
を備えることを特徴とする画像印刷装置。
【請求項２】  前記フォーマット判別手段は、
ＪＰＥＧもしくはＪＰＥＧ２０００のフォーマットであるか否かを判別し、
前記画像処理手段は、
ＪＰＥＧもしくはＪＰＥＧ２０００のフォーマットであると判別された場合に、さらに、Ｅｘｉｆ(Exchangeable Image File Format)規格に従ったフォーマットであるか否かを判別して、Ｅｘｉｆ規格に従ったフォーマットであると判別した場合には、当該Ｅｘｉｆ規格で規定されたパラメータの内容に基づいて画像処理を施す
ことを特徴とする請求項１記載の画像印刷装置。
【請求項３】  前記フォーマット判別手段は、
ＪＰＥＧもしくはＪＰＥＧ２０００のフォーマットであるか、Ｅｘｉｆ(Exchangeable Image File Format)規格に従ったフォーマットであるか否かを判別し、
前記画像処理手段は、さらに、
上記のいずれのフォーマットにも該当しない場合には、グラフィカルデータと判断して、当該グラフィカルデータに応じた画像処理を施す
ことを特徴とする請求項１記載の画像印刷装置。
【請求項４】  ＭＬ(Markup Language)で記述がされたコンテンツにおいてリンク形式で表現されたファイルとされている、又はＭＬで記述がされたコンテンツにそのインライン形式で記述されて含まれている所定の画像データを用いて印刷を行なうための画像印刷方法であって、
少なくとも１つ以上の前記画像データを取得する画像取得ステップと、
取得された前記画像データ毎にそのフォーマットを判別するフォーマット判別ステップと、
前記判別されたフォーマットに基づいて、当該画像データに対して所定の画像処理を施す画像処理ステップと、
前記画像処理が施された画像データに基づいて、所定の印刷媒体に印刷する印刷ステップと
を有することを特徴とする画像印刷方法。
【請求項５】  前記フォーマット判別ステップでは、
ＪＰＥＧもしくはＪＰＥＧ２０００のフォーマットであるか否かを判別し、
前記画像処理ステップでは、
ＪＰＥＧもしくはＪＰＥＧ２０００のフォーマットであると判別された場合に、さらに、Ｅｘｉｆ(Exchangeable Image File Format)規格に従ったフォーマットであるか否かを判別して、Ｅｘｉｆ規格に従ったフォーマットであると判別した場合には、当該Ｅｘｉｆ規格で規定されたパラメータの内容に基づいて画像処理を施す
ことを特徴とする請求項４記載の画像印刷方法。
【請求項６】  前記フォーマット判別ステップでは、
ＪＰＥＧもしくはＪＰＥＧ２０００のフォーマットであるか、Ｅｘｉｆ(Exchangeable Image File Format)規格に従ったフォーマットであるか否かを判別し、
前記画像処理ステップでは、さらに、
上記のいずれのフォーマットにも該当しない場合には、グラフィカルデータと判断して、当該グラフィカルデータに応じた画像処理を施す
ことを特徴とする請求項４記載の画像印刷方法。
【請求項７】  ＭＬ(Markup Language)で記述がされたコンテンツにおいてリンク形式で表現されたファイルとされている、又はＭＬで記述がされたコンテンツにそのインライン形式で記述されて含まれている所定の画像データを用いて印刷を行なう画像印刷装置であって、
色空間を示す情報と、当該色空間に従って定義された少なくとも１つ以上の前記画像データとを取得する画像取得手段と、
当該画像印刷装置に係る色空間を特定する色空間特定手段と、
前記取得された画像データを、当該取得された画像データに係る色空間に従った定義から前記特定された、当該画像印刷装置に係る色空間に従った定義になるように変換する色空間変換手段と、
前記色空間変換が施された画像データに基づいて、所定の印刷媒体に印刷する印刷手段と
を備えることを特徴とする画像印刷装置。
【請求項８】  前記画像データに係る色空間情報は、
前記ＭＬで記述がされたコンテンツにおいてファイルとされている画像データであるイメージオブジェクトデータのパラメータとして定義されている
ことを特徴とする請求項７記載の画像印刷装置。
【請求項９】  前記画像データに係る色空間情報は、
印刷パラメータとして取得する
ことを特徴とする請求項７記載の画像印刷装置。
【請求項１０】  ＭＬ(Markup Language)で記述がされたコンテンツにおいてリンク形式で表現されたファイルとされている、又はＭＬで記述がされたコンテンツにそのインライン形式で記述されて含まれている所定の画像データを用いて所定の画像印刷装置にて印刷を行なうための画像印刷方法であって、
色空間を示す情報と、当該色空間に従って定義された少なくとも１つ以上の前記画像データとを取得する画像取得ステップと、
前記画像印刷装置に係る色空間を特定する色空間特定ステップと、
前記取得された画像データを、当該取得された画像データに係る色空間に従った定義から前記特定された、前記画像印刷装置に係る色空間に従った定義になるように変換する色空間変換ステップと、
前記色空間変換が施された画像データに基づいて、所定の印刷媒体に印刷する印刷ステップとを有する
ことを特徴とする画像印刷方法。
【請求項１１】  前記画像データに係る色空間情報は、
前記ＭＬで記述がされたコンテンツにおいてファイルとされている画像データであるイメージオブジェクトデータのパラメータとして定義されている
ことを特徴とする請求項１０記載の画像印刷方法。
【請求項１２】  前記画像データに係る色空間情報は、
印刷パラメータとして取得する
ことを特徴とする請求項１０記載の画像印刷方法。
【請求項１３】  ＭＬ(Markup Language)で記述がされたコンテンツにおいてリンク形式で表現されたファイルとされている、又はＭＬで記述がされたコンテンツにそのインライン形式で記述されて含まれている所定の画像データを用いて印刷を行なう画像印刷装置であって、
少なくとも１つ以上の前記画像データと当該画像データを生成した装置を表わす情報とを取得する画像取得手段と、
前記画像データを生成した装置を表わす情報に基づいて、当該画像データに係る色空間を推定する色空間推定手段と、
当該画像印刷装置に係る色空間を特定する色空間特定手段と、
前記取得された画像データを、前記推定された画像データに係る色空間に従った定義から前記特定された、当該画像印刷装置に係る色空間に従った定義になるように変換する色空間変換手段と、
前記色空間変換が施された画像データに基づいて、所定の印刷媒体に印刷する印刷手段と
を備えることを特徴とする画像印刷装置。
【請求項１４】  前記画像データを生成した装置を表わす情報は、
前記ＭＬで記述がされたコンテンツにおいてファイルとされている画像データであるイメージオブジェクトデータのパラメータとして定義されている
ことを特徴とする請求項１３記載の画像印刷装置。
【請求項１５】  ＭＬ(Markup Language)で記述がされたコンテンツにおいてリンク形式で表現されたファイルとされている、又はＭＬで記述がされたコンテンツにそのインライン形式で記述されて含まれている所定の画像データを用いて所定の画像印刷装置にて印刷を行なうための画像印刷方法であって、
少なくとも１つ以上の前記画像データと当該画像データを生成した装置を表わす情報とを取得する画像取得ステップと、
前記画像データを生成した装置を表わす情報に基づいて、当該画像データに係る色空間を推定する色空間推定ステップと、
前記画像印刷装置に係る色空間を特定する色空間特定ステップと、
前記取得された画像データを、前記推定された画像データに係る色空間に従った定義から前記特定された、前記画像印刷装置に係る色空間に従った定義になるように変換する色空間変換ステップと、
前記色空間変換が施された画像データに基づいて、所定の印刷媒体に印刷する印刷ステップと
を有することを特徴とする画像印刷方法。
【請求項１６】  前記画像データを生成した装置を表わす情報は、
前記ＭＬで記述がされたコンテンツにおいてファイルとされている画像データであるイメージオブジェクトデータのパラメータとして定義されている
ことを特徴とする請求項１５記載の画像印刷方法。
【手続補正３】
【補正対象書類名】明細書
【補正対象項目名】００１４
【補正方法】変更
【補正の内容】
【００１４】
【課題を解決するための手段】
上記目的を達成するために、本発明に係る画像印刷装置は、ＭＬ(Markup Language)形式で記述がされたコンテンツにおいてリンク形式で表現されたファイルとされている、又はＭＬで記述がされたコンテンツにそのインライン形式で記述されて含まれている所定の画像データを用いて印刷を行なう画像印刷装置であって、少なくとも１つ以上の前記画像データを取得する画像取得手段と、取得された前記画像データ毎にそのフォーマットを判別するフォーマット判別手段と、前記判別されたフォーマットに基づいて、当該画像データに対して所定の画像処理を施す画像処理手段と、前記画像処理が施された画像データに基づいて、所定の印刷媒体に印刷する印刷手段とを備える。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
また、上記目的を達成するために、本発明に係る画像印刷装置は、ＭＬ形式で記述がされたコンテンツにおいてリンク形式で表現されたファイルとされている、又はＭＬで記述がされたコンテンツにそのインライン形式で記述されて含まれている所定の画像データを用いて印刷を行なう画像印刷装置であって、色空間を示す情報と、当該色空間に従って定義された少なくとも１つ以上の前記画像データとを取得する画像取得手段と、当該画像印刷装置に係る色空間を特定する色空間特定手段と、前記取得された画像データを、当該取得された画像データに係る色空間に従った定義から前記特定された、当該画像印刷装置に係る色空間に従った定義になるように変換する色空間変換手段と、前記色空間変換が施された画像データに基づいて、所定の印刷媒体に印刷する印刷手段とを備える。
【手続補正９】
【補正対象書類名】明細書
【補正対象項目名】００２１
【補正方法】変更
【補正の内容】
【００２１】
これにより、印刷コンテンツに含まれている各画像の色空間については、色空間情報を介して確実にプリンタに伝達されるので、色空間の変換を確実に実施することが可能となるので、たとえ、印刷コンテンツに含まれている画像の色空間が多様であっても、コンテンツ提供者が意図した色空間に近い色空間の印刷物を得ることが可能となる。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】変更
【補正の内容】
【００２４】
また、上記目的を達成するために、本発明に係る画像印刷装置は、ＭＬで記述がされたコンテンツにおいてリンク形式で表現されたファイルとされている、又はＭＬで記述がされたコンテンツにそのインライン形式で記述されて含まれている所定の画像データを用いて印刷を行なう画像印刷装置であって、少なくとも１つ以上の前記画像データと当該画像データを生成した装置を表わす情報とを取得する画像取得手段と、前記画像データを生成した装置を表わす情報に基づいて、当該画像データに係る色空間を推定する色空間推定手段と、当該画像印刷装置に係る色空間を特定する色空間特定手段と、前記取得された画像データを、前記推定された画像データに係る色空間に従った定義から前記特定された、当該画像印刷装置に係る色空間に従った定義になるように変換する色空間変換手段と、前記色空間変換が施された画像データに基づいて、所定の印刷媒体に印刷する印刷手段とを備える。
【手続補正１３】
【補正対象書類名】明細書
【補正対象項目名】００２６
【補正方法】変更
【補正の内容】
【００２６】
なお、上記目的を達成するために、本発明は、上記画像印刷装置の特徴的な構成手段をステップとする画像印刷方法として実現したり、それらのステップを全て含むプログラムとして実現することもできる。そして、そのプログラムは、装置が備えるＲＯＭ等に格納しておくだけでなく、ＣＤ−ＲＯＭ等の記録媒体や通信ネットワーク等の伝送媒体を介して流通させることもできる。